(57)【要約】【課題】複数種類の演出態様で報知演出を実行する遊技機において、実行する報知演出を決定する処理を簡潔なものとすることができる遊技機を提供することを目的とする。【解決手段】役抽選の結果が、一又は複数のストップスイッチ50の操作態様が対応付けられた抽選結果となった場合に、ストップスイッチ50の操作態様を所定の演出態様で報知する報知演出を演出装置に実行させる報知演出実行手段と、報知演出で報知する操作態様を少なくとも役抽選の結果に基づいて決定する操作態様決定手段170と、制御装置20の制御による遊技の状況に基づいて、複数の演出態様のうちから報知演出の演出態様を決定する報知演出態様決定手段180と、を備え、報知演出実行手段を、決定されたストップスイッチ50の操作態様と演出態様とに基づいて、報知演出を演出装置に実行させるようにした。【選択図】図２
2014042739.tif 000002
【特許請求の範囲】
【請求項１】
複数の図柄を表示した複数の回転リールと、
複数の回転リールの回転を開始させるためのスタートスイッチと、
回転中の回転リールを個々に停止させるための複数のストップスイッチと、
遊技機の作動を制御する制御装置と、を備え、
制御装置は、
所定の図柄組合せが対応付けられた役について当選か否かの役抽選を行う役抽選手段と、
回転リールの回転及び停止を制御するものであって、スタートスイッチに基づき回転リールの回転を開始させ、ストップスイッチの操作に基づき回転リールの回転を停止させるリール制御手段と、を備え、
役抽選手段による役抽選の結果に対して一又は複数のストップスイッチの操作態様が対応付けられており、
リール制御手段は、
役抽選の結果が、一又は複数のストップスイッチの操作態様が対応付けられた抽選結果となった場合には、ストップスイッチの操作態様に応じて停止表示する図柄組合せを異ならせることができるように形成され、
制御装置は、
所定の条件の下で、役抽選の結果が、一又は複数のストップスイッチの操作態様が対応付けられた抽選結果となった場合に、ストップスイッチの操作態様を所定の演出態様で遊技者に報知する報知演出を所定の演出装置に実行させる報知演出実行手段を備え、
報知演出に従ってストップスイッチを操作しなかった場合には、報知演出に従ってストップスイッチを操作した場合よりも遊技者にとって不利になり得る遊技機であって、
制御装置は、
報知演出で遊技者に報知するストップスイッチの操作態様を少なくとも役抽選の結果に基づいて決定する操作態様決定手段と、
制御装置の制御による遊技の状況に基づいて、報知演出の演出態様を、複数の演出態様のうちから決定する報知演出態様決定手段と、を備え、
報知演出実行手段は、
操作態様決定手段により決定されたストップスイッチの操作態様と、報知演出態様決定手段により決定された報知演出の演出態様とに基づいて、操作態様決定手段により決定されたストップスイッチの操作態様を、報知演出態様決定手段により決定された報知演出の演出態様で遊技者に報知するように報知演出を演出装置に実行させるように形成されていることを特徴とする遊技機。
【請求項２】
制御装置は、
複数の演出状態の間で演出状態を移行させる制御を行う演出状態移行制御手段と、
報知演出を実行するか否か及び／又は複数のストップスイッチの操作態様が対応付けられた役抽選の結果においていずれの操作態様を遊技者に報知するかを示す情報であるナビ種別を役抽選の結果と演出状態とに基づいて決定するナビ種別決定手段と、を備え、
操作態様決定手段は、
報知演出で遊技者に報知するストップスイッチの操作態様を、役抽選の結果とナビ種別決定手段により決定されたナビ種別とに基づいて決定するように形成されていることを特徴とする請求項１記載の遊技機。
【発明の詳細な説明】
【技術分野】
【０００１】
本発明は、遊技機に関するものである。
【背景技術】
【０００２】
従来から、この種の遊技機、例えばスロットマシンでは、ストップスイッチの操作態様、例えば押し順を報知する報知演出が知られている（特許文献１参照）。報知された押し順に従ってストップスイッチを操作すると、例えば、操作のタイミングに関わらず小役を入賞させることができたり、遊技状態を、現在の遊技状態よりも遊技者にとって有利な遊技状態に移行させることができたり、現在の遊技状態よりも遊技者にとって不利な遊技状態に移行することを回避して現在の遊技状態を維持することができるようになっている。
また、この種の遊技機では、液晶表示装置による表示を用いた同一の演出であっても、例えば所定の表示部分の色を変化させることにより演出態様を変化させることで、所定の内部抽選の当選の期待度を異ならせるようにしているものも知られている。一般に、実行する演出は、抽選（演出抽選）により決定されるものとなっている。
【先行技術文献】
【特許文献】
【０００３】
【特許文献１】特開２０１２−１４３４１５号公報
【発明の概要】
【発明が解決しようとする課題】
【０００４】
上記したような複数種類の演出態様で報知演出を実行する場合に、報知演出の演出態様を決定する演出抽選において、演出情報に、報知する操作態様（例えば押し順）の情報まで加えて当該演出抽選で演出態様と報知する操作態様の両方を決定しようとすると、演出抽選が複雑なものとなってしまい、間違った操作態様を遊技者に報知するなどの問題が発生する可能性が高まってしまう。
そこで、本発明は、ストップスイッチの操作態様を遊技者に報知する報知演出を複数種類の演出態様で実行する遊技機において、実行する報知演出を決定する処理が複雑なものとなってしまうことを防止することができ、言い換えれば当該処理を簡潔なものとすることができ、間違った操作態様を遊技者に報知することをできるだけ防止することができる遊技機を提供することを目的とする。
【課題を解決するための手段】
【０００５】
本発明は、上記した目的を達成するためになされたものであり、本発明の特徴点を図面に示した発明の実施の形態を用いて、以下に説明する。
なお、符号は、発明の実施の形態において用いた符号を示し、本発明の技術的範囲を限定するものではない。
（請求項１）
請求項１記載の発明は、複数の図柄を表示した複数の回転リール40と、複数の回転リール40の回転を開始させるためのスタートスイッチ30と、回転中の回転リール40を個々に停止させるための複数のストップスイッチ50と、遊技機の作動を制御する制御装置20と、を備え、制御装置20は、所定の図柄組合せが対応付けられた役について当選か否かの役抽選を行う役抽選手段70と、回転リール40の回転及び停止を制御するものであって、スタートスイッチ30に基づき回転リール40の回転を開始させ、ストップスイッチ50の操作に基づき回転リール40の回転を停止させるリール制御手段90と、を備え、役抽選手段70による役抽選の結果に対して一又は複数のストップスイッチ50の操作態様が対応付けられており、リール制御手段90は、役抽選の結果が、一又は複数のストップスイッチ50の操作態様が対応付けられた抽選結果となった場合には、ストップスイッチ50の操作態様に応じて停止表示する図柄組合せを異ならせることができるように形成され、制御装置20は、所定の条件の下で、役抽選の結果が、一又は複数のストップスイッチ50の操作態様が対応付けられた抽選結果となった場合に、ストップスイッチ50の操作態様を所定の演出態様で遊技者に報知する報知演出を所定の演出装置に実行させる報知演出実行手段を備え、報知演出に従ってストップスイッチ50を操作しなかった場合には、報知演出に従ってストップスイッチ50を操作した場合よりも遊技者にとって不利になり得る遊技機であって、制御装置20は、報知演出で遊技者に報知するストップスイッチ50の操作態様を少なくとも役抽選の結果に基づいて決定する操作態様決定手段170と、制御装置20の制御による遊技の状況に基づいて、報知演出の演出態様を、複数の演出態様のうちから決定する報知演出態様決定手段180と、を備え、報知演出実行手段は、操作態様決定手段170により決定されたストップスイッチ50の操作態様と、報知演出態様決定手段180により決定された報知演出の演出態様とに基づいて、操作態様決定手段170により決定されたストップスイッチ50の操作態様を、報知演出態様決定手段180により決定された報知演出の演出態様で遊技者に報知するように報知演出を演出装置に実行させるように形成されていることを特徴とする。
【０００６】
ここで、「操作態様」には、押し順（操作順序）、操作のタイミング及びこれらの組み合わせのいずれをも含むものである。
また、「遊技者にとって不利になり得る」としては、以下のような状況が挙げられる。例えば、報知演出に従ってストップスイッチ50を操作した場合には、入賞により遊技媒体を遊技者に付与する小役が入賞するが、報知演出に従ってストップスイッチ50を操作しなかった場合には、小役が入賞しないことがある。また例えば、報知演出に従ってストップスイッチ50を操作した場合には、遊技状態を、現在の遊技状態よりも遊技者にとって有利な遊技状態である有利遊技状態に移行させることができるが、報知演出に従ってストップスイッチ50を操作しなかった場合には、遊技状態を有利遊技状態に移行させることができないことがある。また例えば、報知演出に従ってストップスイッチ50を操作した場合には、遊技状態を、現在の遊技状態よりも遊技者にとって不利な遊技状態である不利遊技状態に移行することを回避して現在の遊技状態を維持することができるが、報知演出に従ってストップスイッチ50を操作しなかった場合には、遊技状態が不利遊技状態に移行することがある。
【０００７】
また、「所定の条件の下で」とは、要するに、役抽選の結果が、一又は複数のストップスイッチ50の操作態様が対応付けられた抽選結果となった場合であっても、報知演出を実行する場合と実行しない場合があることを意味するものである。
すなわち本発明では、報知演出で遊技者に報知するストップスイッチ50の操作態様と、報知演出の演出態様を別々に決定する。そして、別々に決定したストップスイッチ50の操作態様と、演出態様に基づいて、報知演出を実行する。
（請求項２）
請求項２記載の発明は、上記した請求項１記載の発明の特徴点に加え、制御装置20は、複数の演出状態の間で演出状態を移行させる制御を行う演出状態移行制御手段と、報知演出を実行するか否か及び／又は複数のストップスイッチ50の操作態様が対応付けられた役抽選の結果においていずれの操作態様を遊技者に報知するかを示す情報であるナビ種別を役抽選の結果と演出状態とに基づいて決定するナビ種別決定手段160と、を備え、操作態様決定手段170は、報知演出で遊技者に報知するストップスイッチ50の操作態様を、役抽選の結果とナビ種別決定手段160により決定されたナビ種別とに基づいて決定するように形成されていることを特徴とする。
【０００８】
すなわち、本発明では、役抽選の結果と演出状態とに基づいてナビ種別を決定し、決定したナビ種別と役抽選の結果に基づいて報知演出で遊技者に報知するストップスイッチ50の操作態様を決定する。
【発明の効果】
【０００９】
本発明は、以上のように構成されているので、以下に記載されるような効果を奏する。
すなわち本発明によれば、ストップスイッチの操作態様を遊技者に報知する報知演出を複数種類の演出態様で実行する遊技機において、報知演出で遊技者に報知するストップスイッチの操作態様を決定する処理（操作態様決定処理）と、報知演出の演出態様を決定する処理（演出態様決定処理）を別々の処理としたので、これらの各処理を簡潔なものとすることができ、結果として、実行する報知演出を決定する処理を簡潔なものとすることができ、間違った操作態様を遊技者に報知することをできるだけ防止することができる。
また、本発明によれば、操作態様決定処理を確認するだけで、報知演出で遊技者に報知するストップスイッチの操作態様が正しいか否かを判断することができるので、報知する操作態様が正しいか否かを容易に確認することができる。
【００１０】
また、本発明によれば、演出態様決定処理で間違った演出態様が仮に決定されたとしても、操作態様決定処理は、演出態様決定処理とは切り分けられているので、正しい操作態様を遊技者に報知することができ、遊技性を損なわないようにすることができる。
【図面の簡単な説明】
【００１１】
【図１】本発明の実施の形態であって、スロットマシンの外観正面図である。
【図２】本発明の実施の形態であって、スロットマシンの入力、出力及び制御装置を示すブロック図である。
【図３】本発明の実施の形態であって、回転リールの図柄配列を示す図である。
【図４】本発明の実施の形態であって、役に対応する図柄組合せを示す図である。
【図５】本発明の実施の形態であって、役抽選テーブルの当選領域を示す図である。
【図６】本実施の形態であって、ストップスイッチの押し順と有効ライン上に停止表示される役との関係を説明するための説明図である。
【図７】本発明の実施の形態であって、遊技状態の移行を示す図である。
【図８】本発明の実施の形態であって、サブ状態の移行を示す図である。
【図９】本実施の形態であって、ナビ種別テーブル、リプレイ押し順テーブル及びベル押し順テーブルを示す概念図である。
【図１０】本実施の形態であって、液晶表示装置の画像表示であって、報知演出を説明するための説明図である。
【図１１】本実施の形態であって、通常時テーブル、上昇テーブル、チャンステーブル及びガセテーブルを示す概念図である。
【図１２】本発明の実施の形態であって、メイン制御装置の制御に基づくスロットマシンの作動の概略を示すフローチャートである。
【図１３】本発明の実施の形態であって、サブ制御装置の制御に基づく報知演出実行処理を示すフローチャートである。
【図１４】本発明の実施の形態であって、ナビ種別決定処理を示すフローチャートである。
【図１５】本発明の実施の形態であって、押し順決定処理を示すフローチャートである。
【図１６】本発明の実施の形態であって、演出態様決定処理を示すフローチャートである。
【発明を実施するための形態】
【００１２】
本発明の実施の形態を、図１〜図１６に基づいて説明する。
以下、「正面」とは、スロットマシン10において遊技を行う際に遊技者が向き合う面をいい、「右側」とは、スロットマシン10の正面に向き合って遊技を行う遊技者から見て右側をいい、「左側」とは、スロットマシン10の正面に向き合って遊技を行う遊技者から見て左側をいう。
（スロットマシン10）
図１に概略を示すように、遊技機としてのスロットマシン10は、正面側が開口する方形箱状の筐体11と、この筐体11の正面開口を開閉自在に設けられた前扉３を有している。前記筐体11の内部において、開口上部には、３個の回転リール40を有するリールユニット60が設置され、開口下部には、ホッパーユニット65と、電源ユニット５が設けられている。また、前記リールユニット60の上方には、スロットマシン10の作動を制御する制御装置20が配置されている。
【００１３】
前記前扉３は、筐体11にヒンジ（図示せず）を介して水平方向に回動自在に取り付けられた板状の扉である。前扉３には、図１に示すように、遊技者側に向かって臨む正面パネル12が設けられており、正面パネル12には、３個の回転リール40の図柄を視認可能な図柄表示窓13が形成されている。そして、この図柄表示窓13の下方であってスロットマシン10の高さ方向略中央部は、スロットマシン10を作動させるためのものであって、遊技を進行させるために操作される操作手段が設けられたカウンター状の操作部3Aとなっている。操作手段としては、メダル投入口14、ベットスイッチ16、精算スイッチ17、スタートスイッチ30、ストップスイッチ50が設けられている。なお、操作スイッチとしては、その操作によりスロットマシン10により行われる演出に関わる選択を行うことができる演出選択スイッチが設けられていてもよい。前扉３の下部には、ホッパーユニット65から払い出されたメダルを受ける下皿3Bが設けられている。また、メダル投入口14の下方であって前扉３の裏側には、投入メダルを検知しメダルを判別するためのメダルセレクター４が設けられている。
【００１４】
前記リールユニット60は、筐体11の内部に収納される枠体に固定された３個のステッピングモータ（図示せず）と、各ステッピングモータの出力軸に固定された３個の回転リール40から構成されている。ここで、３個の回転リール40について、個々の回転リール40を特定して説明する場合には、正面視したときに左側に位置する回転リール40を左リール41と称し、中央に位置する回転リール40を中リール42と称し、右側に位置する回転リール40を右リール43と称するものとし、個々の回転リール40を特定しない場合には、単に回転リール40というものとする。
各回転リール40は、合成樹脂からなる回転ドラムと、この回転ドラムの周囲に貼付されるテープ状のリールテープとを備えている。このリールテープの表面には、図３に示すように、「赤７」、「青７」、「リプレイ」、「スイカ」、「ベルａ」、「ベルｂ」、「ベルｃ」、「ＢＡＲ」、「チェリー」、「ダミー」などの図柄が、１つの回転リール40につき２１個ずつ、表示されている。なお、「ダミー」は、何の役にも対応付けられていない図柄である。また、図３において左端の数字は、各図柄を特定するための図柄番号を示している。
【００１５】
そして、スロットマシン10を正面視したとき、図柄表示窓13からは、各回転リール40の図柄がそれぞれ３個ずつ、合計９個視認できるようになっている。
また、特に図示しないが、各回転リール40には、リールユニット60に設けられたインデックスセンサ60A（図２参照）に検知される検知部としてのスタートインデックスが設けられている。スタートインデックスは、例えば回転ドラムの内側や回転ドラムとステッピングモータをつなぐスポークに設けられた突片とすることができる。
前記ホッパーユニット65は、図１に示すように、筐体11の内部に設けられた払い出し装置であって、遊技の結果に基づいて、遊技者にメダルを払い出すためのものである。前記電源ユニット５は、スロットマシン10の主電源のＯＮ／ＯＦＦを行うためのものである。
【００１６】
（制御装置20）
上記制御装置20は、図示しないが、ＣＰＵを中心に構成され、ＲＯＭ、ＲＡＭ、Ｉ／Ｏ等を備えている。ここでＣＰＵは、１個に限定されず、二個以上のＣＰＵで制御するようにしてもよい。また、ＣＰＵ、ＲＯＭ、ＲＡＭ及びＩ／Ｏ等は一体化されてワンチップを構成してもよい。そして、ＣＰＵがＲＯＭに記憶されたプログラムを読み込むことで、図２に示すように、メイン制御装置21及びサブ制御装置22を構成する。
ここで、メイン制御装置21の制御に基づくスロットマシン10の作動状態を遊技状態といい、サブ制御装置22の制御に基づくスロットマシン10の作動状態をサブ状態という。
【００１７】
そして、制御装置20の入力側には、図２に示すように、メダルセンサ15、ベットスイッチ16、精算スイッチ17、スタートスイッチ30、ストップスイッチ50、インデックスセンサ60Aの各パーツが接続されている。
前記メダルセンサ15は、図１に示すように、メダルセレクター４に内蔵された検知センサであって、投入された遊技メダルの通過を検知するものである。
前記ベットスイッチ16は、カウンター状の操作部3Aの上面左側に設けられたボタンスイッチであって、クレジットをメダル投入に代えるためのものである。ここで、クレジットとは、次ゲーム以降に使用するためのメダルをあらかじめ遊技機内部に貯留しておくことであり、スロットマシン10は、メダル投入口14から投入されたメダル、又は入賞により払い出されるメダルを、最大５０枚まで、遊技機内部に貯留する扱いができるように形成されている。
【００１８】
前記精算スイッチ17は、操作部3Aの上面左端に設けられたボタンスイッチであって、クレジットを払い戻すためのものである。
前記スタートスイッチ30は、操作部3Aの正面左側に設けられたレバー状のスイッチであって、回転リール40の回転を開始させるためのものである。スタートスイッチ30の筐体内部側には、特に図示しないが、レバーの位置移動を検出する接触センサあるいは遮光センサが設けられており、センサの検出信号がスタートスイッチ30の操作信号として扱われるようになっている。
ストップスイッチ50は、操作部3Aの正面中央部に設けられた３個のボタンスイッチであって、回転中の回転リール40を停止させるためのものである。ここで、３個のストップスイッチ50について、個々のストップスイッチ50を特定して説明する場合には、正面視したときに左側に位置するストップスイッチ50を左停止スイッチ51と称し、中央に位置するストップスイッチ50を中停止スイッチ52と称し、右側に位置するストップスイッチ50を右停止スイッチ53と称するものとし、個々のストップスイッチ50を特定しない場合には、単にストップスイッチ50というものとする。３個のストップスイッチ50は、それぞれ、３個の回転リール40に対応して設けられている。具体的には、左リール41には左停止スイッチ51が対応し、中リール42には中停止スイッチ52が対応し、右リール43には右停止スイッチ53が対応している。各ストップスイッチ50の筐体内部側には、特に図示しないが、ボタンの位置移動を検出する接触センサあるいは遮光センサがそれぞれ設けられており、センサの検出信号が各ストップスイッチ50の操作信号として扱われるようになっている。そして、左停止スイッチ51の操作により左リール41を停止させることができ、中停止スイッチ52の操作により中リール42を停止させることができ、右停止スイッチ53の操作により右リール43を停止させることができる。
【００１９】
前記インデックスセンサ60Aは、特に図示しないが、リールユニット60の枠体に設けられた検知部であって、回転リール40の回転を検知するためのものである。
一方、制御装置20の出力側には、図２に示すように、リールユニット60、ホッパーユニット65、液晶表示装置67、ランプ68、スピーカ69の各パーツが接続されている。液晶表示装置67は、図１に示すように、図柄表示窓13の上側に設けられており、入賞の報知その他の演出画像を表示するためのものである。ランプ68は正面パネル12の周囲に設けられており、発光体の点灯又は点滅により入賞等を報知するためのものである。スピーカ69は、下皿3Bの奥壁に設けられており、ＢＧＭや操作音等、所定の音声を出力するためのものである。
【００２０】
（メイン制御装置21）
メイン制御装置21は、主として遊技の進行を制御するものである。メイン制御装置21は、図２に示すように、役抽選手段70、遊技状態移行制御手段80、リール制御手段90、遊技結果判定手段100、払出制御手段110、及び信号出力手段120などの各手段として機能する。
（役抽選手段70）
役抽選手段70は、所定の図柄組合せが対応付けられた役について当選か否かの役抽選を行うものであり、図２に示すように、役抽選テーブル71と、判定手段72とを備えている。そして、スタートスイッチ30の操作信号受信のタイミングで、図示しないカウント抽出手段が、図示しないループカウンタの数値を読み取り、判定手段72がこの数値と役抽選テーブル71とを比較して、当選の有無を判定するものである。
【００２１】
役抽選テーブル71は、前記ループカウンタがカウントする数値（例えば０〜６５５３５）を全領域として各当選項目の当選領域を規定したものである。なお、役抽選テーブル71の詳細については後述する。判定手段72は、カウント抽出手段がピックアップしたカウントデータと、前記役抽選テーブル71の当選判定領域データとを照合し、カウントデータが所定の当選領域に属する場合には当該当選領域に対応する当選を決定し、カウントデータがいずれの当選領域にも属さない場合には、「ハズレ」の決定をするものである。
ここで、スロットマシン10は、ストップスイッチ50の操作によって所定の当選した役に対応する図柄組合せが有効ライン上に揃って表示される（以下、このことを入賞という）と、役に応じた利益が付与されるようになっている。前記役としては、図４に示すように、入賞により所定枚数のメダルが払い出される小役と、入賞により次ゲームにおいて遊技メダルを新たに投入することなく再度の遊技を行える再遊技役と、入賞により次ゲームからボーナスゲームが開始されるボーナス役とを備えている。ボーナス役が入賞すると、次ゲームからボーナスゲームが開始される。再遊技役が入賞すると、再遊技が作動し、次ゲームにおいて、ベットすることなくスタートスイッチ30が操作可能となる。小役が入賞すると、所定枚数のメダルが払い出される。
【００２２】
なお、有効ラインとは、３個の回転リール40のそれぞれに表示されている図柄であって図柄表示窓13の上段、中段、下段に位置する各回転リール40につき１個ずつの図柄を繋いでできるライン（入賞ライン）のうち、入賞するために有効となる図柄組合せの並びを規定したラインである。入賞ラインは、予め定められた規定数のメダルをベットすることにより有効ラインになる。本実施の形態においては、図１に示すように、各回転リール40の中段に位置する図柄を繋いでできる中段ラインＬ１と、各回転リール40の下段に位置する図柄を繋いでできる下段ラインＬ２と、左リール41の上段に位置する図柄、中リール42の中段に位置する図柄、右リール43の下段に位置する図柄を繋いでできる右下がりラインＬ３とが入賞ラインとして設定されている。ここで、規定数とは、１回の遊技を行うために賭けることができるメダル数である。本実施の形態では、ボーナスゲーム以外のゲーム中においては１回の遊技につき、メダルを３枚ベットすることが可能となっており、３枚のメダルをベットすると、入賞ラインＬ１〜Ｌ３が有効になり、ボーナスゲーム中においては１回の遊技につき、メダルを２枚ベットすることが可能となっており、２枚のメダルをベットすると、中段ラインＬ１のみが有効になる。
【００２３】
図４に示すように、前記ボーナス役としては、「赤７図柄・赤７図柄・赤７図柄」の図柄組合せが対応付けられたＢＢ（ビッグボーナス）役と、「ＢＡＲ図柄・ＢＡＲ図柄・ＢＡＲ図柄」の図柄組合せが対応付けられたＲＢ（レギュラーボーナス）役が設けられている。また、再遊技役としては、「リプレイ図柄・リプレイ図柄・リプレイ図柄」の図柄組合せが対応付けられたリプレイ１役と、「リプレイ図柄・リプレイ図柄・ベル図柄（ベルａ図柄又はベルｂ図柄又はベルｃ図柄）」の図柄組合せが対応付けられたリプレイ２役と、「リプレイ図柄・ベル図柄（ベルａ図柄又はベルｂ図柄又はベルｃ図柄）・リプレイ図柄」の図柄組合せが対応付けられたリプレイ３役とが設けられている。そして、小役としては、入賞により９枚（規定数３枚での遊技時、以下同様。）のメダルが払い出される２８個のベル役と、入賞により５枚のメダルが払い出されるスイカ役と、入賞により４枚のメダルが払い出されるチェリー役が設けられている。スイカ役には「スイカ図柄・スイカ図柄・スイカ図柄」の図柄組合せが対応付けられており、チェリー役には、「チェリー図柄・ＡＮＹ・ＡＮＹ」（ＡＮＹは何の図柄でもよい）の図柄組合せが対応付けられている。
【００２４】
前記した２８個のベル役は、ベルａ図柄、ベルｂ図柄、ベルｃ図柄（以下ベル図柄と総称する）の３種類の図柄の順列により構成される２７個のベル役（ベル１役〜ベル２７役）と、左リール41における３種類のベル図柄、中リール42における赤７図柄、青７図柄、チェリー図柄の３種類の図柄及び右リール43における赤７図柄、青７図柄、チェリー図柄の３種類の図柄の組み合わせにより構成される２７個の図柄組合せが対応付けられたベル２８役とからなる。
前記ボーナス役が入賞すると、次ゲームからボーナスゲームが開始される。具体的には、ＢＢ役が入賞した場合にはビッグボーナスゲーム（ＢＢゲーム）が開始され、ＲＢ役が入賞した場合にはレギュラーボーナスゲーム（ＲＢゲーム）が開始される。ＢＢゲームは、ＲＢゲームが連続して行われる遊技期間である。ＲＢゲームは、他の遊技期間に比べて小役の当選確率が高く設定された遊技期間であり、所定回数の入賞又は所定回数のゲーム消化により終了する。なお、ボーナスゲームに移行した場合には投入メダルの規定数が２枚に変更される。そして、ＢＢゲームに移行すると、ＲＢゲームが無条件で、すなわちＲＢゲームに移行させるための図柄（ＲＢ図柄）を揃えることなく開始され、１回のＲＢゲームが終了すると、再び無条件で次のＲＢゲームが開始される。ＢＢゲームは、払い出しメダルの総数があらかじめ定められた一定枚数を超えた場合に終了する。
【００２５】
なお、ＢＢゲーム中に、所定のＲＢ図柄を揃えた場合にＲＢゲームが開始されるようにしてもよい。また、ボーナス役が入賞した場合に、所定枚数（例えば１５枚）のメダルを払い出すようにしてもよい。また、ボーナスゲームの終了条件を、他の条件（例えばゲーム回数）としてもよい。また、ボーナスゲーム中の規定数を、例えば１枚にしてもよく、１枚のメダルのベットにより、入賞ラインＬ１〜Ｌ３のいずれかが有効になるようにしてもよいし、異なるライン、例えば上段ラインのみが有効になるようにしてもよい。
ここで、役抽選の結果、いずれかの役が当選すると、当選した役に対応する当選フラグが成立する。当選した役がボーナス役の場合にはボーナスフラグ（ＢＢフラグ、ＲＢフラグ）が、当選した役が小役の場合には小役フラグ（ベル１フラグ〜ベル２８フラグ、スイカフラグ、チェリーフラグ）が、当選した役が再遊技役の場合にはリプレイフラグ（リプレイ１フラグ、リプレイ２フラグ、リプレイ３フラグ）がそれぞれ成立する。小役フラグ及びリプレイフラグは当該遊技限りでリセットされるが、ボーナスフラグは、当該ボーナス役が入賞するまでリセットされない。すなわち、ボーナス役に当選した場合には、当選の権利が次ゲーム以降に持ち越されるようになっている。また、ボーナスフラグが持ち越されている間（ボーナス内部中）は、ボーナス役の当選判定は行われない。また、本実施の形態では、以下に述べるように、役抽選テーブル71には、複数の役が同時に当選となる重複当選領域が設けられており、カウント抽出手段が抽出したループカウンタのカウントデータが前記した重複当選領域に属する場合には、当該領域に含まれる役の全てについて、それぞれに対応する当選フラグを成立させることになる。
【００２６】
（役抽選テーブル71）
本実施の形態における役抽選テーブル71の概念図を図５に示す。ここで、図５は、ハズレの領域を省略し、複数の役抽選テーブル71に設定されている当選領域の有無を示したものであり、左欄に示した当選領域が役抽選テーブル71に含まれている場合を丸印で表し、その当選領域が含まれていない場合には無印で表している。
役抽選テーブル71としては、図５に示すように、通常状態において用いられる通常テーブルと、ＲＴ状態において用いられるＲＴテーブルと、ボーナス内部中状態において用いられる内部中テーブルと、ボーナス作動中状態において用いられるボーナス中テーブルとが設けられている。
【００２７】
ここで、通常状態とは、スロットマシン10の初期状態（工場出荷時又は設定変更後）の遊技状態である。ＲＴ状態とは、再遊技役の当選確率が通常状態とは異なるように設定されている遊技状態であり、いわゆるリプレイタイムと呼ばれるものである。ボーナス内部中状態とは、ボーナスフラグが持ち越されている遊技状態であり、ボーナス作動中状態とはボーナスゲームが行われる遊技状態である。
各役抽選テーブル71には、当選の領域と、ハズレの領域とが設定されている。当選の領域としては、一の役に対応付けられた当選領域である単独当選領域の他に、複数種類の役に対応付けられた重複当選領域が設定されている。図５において、「リプレイＡ」「スイカ」「チェリー」「ＢＢ」「ＲＢ」の当選領域は、それぞれ、リプレイ役、スイカ役、チェリー役、ＢＢ役、ＲＢ役の単独当選領域である。一方、「左ベル１」から「右ベル３」までの９個の当選領域は、それぞれ、複数のベル役の重複当選領域となっている。具体的には、図４に示すベル１役〜ベル２７役のうちのいずれかのベル役と、ベル２８役が同時に当選する当選領域である。また、「ベル」の当選領域は、ベル役全ての重複当選領域である。また、「リプレイＢ」の当選領域は、リプレイ１役及びリプレイ２役の重複当選領域であり、「リプレイＣ」の当選領域は、リプレイ１役、リプレイ２役及びリプレイ３役の重複当選領域であり、「リプレイＤ」の当選領域は、リプレイ１役及びリプレイ３役の重複当選領域であり、「リプレイＥ」の当選領域は、リプレイ２役及びリプレイ３役の重複当選領域である。
【００２８】
ここで、上記した「左ベル１」〜「右ベル３」の９個の重複当選領域に対しては、３個のストップスイッチ50に基づく３通りの操作順序（押し順）が、それぞれ対応付けられている。具体的には、「左ベル１」〜「左ベル３」の各当選領域に対しては、左停止スイッチ51を最初に操作する押し順（左第一停止）が、「中ベル１」〜「中ベル３」の各当選領域に対しては、中停止スイッチ52を最初に操作する押し順（中第一停止）が、「右ベル１」〜「右ベル３」の各当選領域に対しては、右停止スイッチ53を最初に操作する押し順（右第一停止）が、それぞれ対応付けられている。対応付けられている押し順が、各当選領域の当選に対する正解の押し順となる。以下、「左ベル１」から「右ベル３」までの９個の当選領域を「押し順ベル」（一のストップスイッチ50の操作態様が対応付けられた抽選結果）と総称するものとする。そして、いずれかの「押し順ベル」が当選した場合、正解の押し順で、ストップスイッチ50が操作（停止操作）されたか否かによって、ベル役が入賞し得るか否かが変化するようになっているが、これについては後述する。
【００２９】
なお、押し順の設定は、上記した３通りを設定する場合に限られない。例えば、各当選領域に、３個のストップスイッチ50に基づく６通りの押し順（左中右、左右中、中左右、中右左、右中左、右左中）をそれぞれ割り当てることもできる。
さらに、「リプレイＢ」〜「リプレイＥ」のそれぞれの当選時には、ストップスイッチ50の押し順により、入賞する再遊技役が変化するようになっているが、この詳細については後述する。以下、「リプレイＢ」から「リプレイＥ」までの４個の当選領域を「押し順リプレイ」（複数のストップスイッチ50の操作態様が対応付けられた抽選結果）と総称するものとする。
【００３０】
さて、図５では明記していないが、各役抽選テーブル71における全領域に対する小役の当選領域の割合（以下当選確率という）は、通常テーブル、ＲＴテーブル及び内部中テーブルにおいては、同等に設定されている。ボーナス中テーブルでは、全ての小役の当選確率の合計が他のテーブルに比べて非常に高く、例えば約１／１．１に設定されている。また、各役抽選テーブル71における再遊技役の当選確率は、ＲＴテーブルが最も高く、通常テーブル及び内部中テーブルはそれよりも低くなるように設定されている。例えば、ＲＴテーブルでは、再遊技役の当選確率が約１／１．５に設定されており、通常テーブル及び内部中テーブルでは、再遊技役の当選確率が約１／７．３に設定されている。これにより、遊技状態がＲＴ状態である遊技は、ベットなしで遊技を行える再遊技の回数が増えるとともに、小役の当選確率は変化しないので、手持ちのメダルの目減りが少なくなる。
【００３１】
なお、上記した役抽選テーブル71の構成や当選確率は一例であって、上記した態様や数値に限られるものではない。
（遊技状態移行制御手段80）
遊技状態移行制御手段80は、複数の遊技状態の間で遊技状態を移行させる制御を行うものであり、図示しないが、移行条件判定手段と、状態記憶手段と、遊技カウンタとを備えている。
移行条件判定手段は、役抽選の結果、後述する遊技結果判定手段100の判定結果、及び以下に述べる遊技カウンタの計測値に基づいて、遊技の状況が、遊技状態を移行させるための所定条件に該当するか否かを判定するためのものである。また、状態記憶手段は、前記移行条件判定手段の判定結果及び役抽選手段70の抽選結果に基づいて、現在の遊技状態を記憶するためのものである。遊技カウンタは、遊技に関する数値を計測するものである。具体的には、ボーナスゲーム中のゲーム回数、入賞回数、払出枚数などのカウントなどを行うものである。
【００３２】
移行条件判定手段は、役抽選の結果に基づいてボーナス内部中状態への移行を決定し、遊技結果判定手段100の判定結果に基づいて、ボーナス内部中状態の終了、ボーナス作動中状態への移行、再遊技の作動、ＲＴ状態への移行又は終了（通常状態への移行）を決定し、遊技カウンタの計測値に基づいて、ボーナス作動中状態の終了などを決定する。そして、状態記憶手段が記憶している記憶内容に応じて、役抽選手段70が対応する役抽選テーブル71を選択し役抽選を行うことにより、通常状態、ボーナス内部中状態、ボーナス作動中状態、ＲＴ状態などの所定の遊技状態が発動するようになっている。なお、遊技状態の移行の具体例については後述する。
【００３３】
（リール制御手段90）
リール制御手段90は、回転リール40の回転及び停止を制御するものであり、図２に示すように、回転制御手段91と、停止制御手段92とを備えている。
（回転制御手段91）
回転制御手段91は、スタートスイッチ30の有効な操作信号を受信した場合に、リールユニット60のステッピングモータを駆動させて回転リール40の回転を開始させるものである。具体的には、遊技状態ごとに予め定められた規定数のメダル（遊技媒体）がベットされている状態でスタートスイッチ30の操作信号を入力した場合に、所定のウエイト時間（前ゲームのスタートスイッチ30の操作から４．１秒）が経過していることを条件として、各ステッピングモータに駆動信号を出力することにより、全ての回転リール40の回転を一斉に、あるいは所定の順番で開始させる。そして、全ての回転リール40の回転速度が所定の定常回転速度（例えば８０ｒｐｍ）に達すると、この定常回転速度で定速回転を行わせるものとなっている。
【００３４】
（停止制御手段92）
停止制御手段92は、少なくとも役抽選の結果及びストップスイッチ50が操作された時点における対応する回転リール40の回転位置に基づいて、回転リール40の回転を適位置で停止させるものである。
停止制御手段92は、リールユニット60に設けられた回転リール40の回転を検知するためのインデックスセンサ（図示せず）の検知信号に基づき、現時点における回転リール40の回転角度を把握し、ストップスイッチ50が操作された時点での回転リール40の回転角度から、所定の有効ライン上に位置している図柄を特定することができるようになっている。そして、特定された図柄を基準として、この基準図柄から回転方向にあらかじめ定められた個数（最大スベリコマ数、本実施の形態では４コマ）移動したときの図柄までの範囲（具体的にはストップスイッチ50が操作されてから１９０ｍｓｅｃ以内）で、対応する回転リール40を停止させるように形成されている。換言すれば、停止制御手段92は、ストップスイッチ50が操作された時点から対応する回転リール40が停止するまでに、この回転リール40が回転する回転量があらかじめ定められたコマ数の範囲内となるように、ステッピングモータの駆動停止を制御するものである。ここで、「コマ」とは、回転リール40の回転量であって、回転リール40の周囲に付された図柄１個分に相当する量を意味するものである。
【００３５】
そして、役抽選の結果がいずれかの役の当選の場合（すなわちいずれかの当選フラグが成立している場合）には、各回転リール40の回転を停止させるに際し、当選した役に対応した図柄組合せが有効ライン上に極力揃うように、かつ、当選していない役に対応した図柄組合せについてはいずれの有効ライン上にも揃わないように、引き込み制御及び蹴飛ばし制御を行い、一方、役抽選の結果がハズレの場合（すなわちいずれかの当選フラグも成立していない場合）には、いずれの有効ライン上にも、いずれの役に対応した図柄組合せも揃わないように、蹴飛ばし制御を行う。具体的には、前記基準図柄をその位置に停止させてもよい場合にはそのまま回転リール40を停止させ、その位置に停止させてはいけない場合には、回転リール40が停止するまでの時間を遅らせて、有効ライン上からその図柄を蹴飛ばして停止させる。また、最大スベリコマ数の範囲内に、当選した役に対応した図柄組合せを構成する図柄が含まれている場合には、回転リール40が停止するまでの時間を遅らせて、有効ライン上にその図柄を引き込んで停止させる。
【００３６】
また、本実施の形態では、複数の当選フラグが同時に成立している場合があり、このような場合に引き込み制御において、内部当選状態に設定されている複数の役のうちいずれの役に対応した図柄を優先して引き込むかを予め設定している。具体的には、引き込み優先順位を、「再遊技役」＞「小役」＞「ボーナス役」に設定している。さらに、小役間の引き込み優先順位として、払い出し数優先と、組み合わせ数優先との２種類の優先順位が設定されている。払い出し数優先とは、払い出し枚数が多いほど優先順位が高くなるように設定されたものである。組み合わせ数優先とは、有効ライン上に停止表示される図柄の組み合わせの数が多いほど優先順位が高くなるように設定されたものである。なお、払い出し数優先においては、同一の払い出し枚数の小役に重複して当選した場合には、それらの小役の引き込み優先順位は同一となる。また、引き込み優先順位は、これに限られるものではない。
【００３７】
そして、本実施の形態では、停止制御手段92は、引き込み制御及び蹴飛ばし制御を、回転リール40の停止位置を予め定めた停止テーブルを参照して制御を行うテーブル制御により行うものとなっている。停止テーブルには、当選フラグの成立の有無、ストップスイッチ50の操作のタイミング、ストップスイッチ50の操作順序、既に停止している回転リール40の停止位置（言い換えれば有効ライン上に停止している図柄の種類）、引き込み優先順位などに応じて、回転リール40の停止位置が設定されている。
また、停止図柄の情報は所定の記憶部に記憶される。
ここで、「押し順ベル」当選時の停止制御について説明する。
【００３８】
本実施の形態では、図３のリール図柄の配列に示すように、ベル１〜２７役に対応した図柄組合せを構成する図柄は、全ての回転リール40において、最大スベリコマ数の範囲内で有効ライン上に引き込み可能となるように配置されているわけではないので、ストップスイッチ50の操作のタイミングにより、それらの図柄組合せを構成する図柄を有効ライン上に引き込める場合もあるし、引き込めない場合もある。一方、ベル２８役に対応した図柄組合せを構成する図柄は、個々の図柄組合せについてみると、全ての回転リール40において、最大スベリコマ数の範囲内で有効ライン上に引き込み可能となるように配置されているものではないが、ベル２８役が当選している場合には、ストップスイッチ50の操作のタイミングに関わらず、ベル２８役に対応したいずれかの図柄組合せを構成する図柄を、有効ライン上に引き込むことができるようになっている。
【００３９】
停止制御手段92は、役抽選により、いずれかの「押し順ベル」が当選した場合には、ストップスイッチ50の操作態様に応じて、ベル役に対応した図柄組合せか、あるいは他のいずれの役に対応付けられた図柄組合せにも該当しない特定のハズレの図柄組合せであるブランク（ベルブランク）を有効ライン上に停止表示させるように停止制御を行う。
具体的には、当選した「押し順ベル」に対して割り当てられている正解の押し順でストップスイッチ50が操作されると、ストップスイッチ50の操作のタイミングに関わらず、中リール42及び右リール43において、ベル１〜２７役に対応する図柄（ベルａ図柄、ベルｂ図柄、ベルｃ図柄）に優先して、ベル２８役に対応するいずれかの図柄（赤７図柄、青７図柄又はチェリー図柄）を有効ライン上に引き込んで、ベル２８役を入賞させる。前記したように、この場合には、ベル２８役が必ず入賞する。一方、その正解の押し順以外の押し順（不正解の押し順）でストップスイッチ50が操作された場合には、中リール42及び右リール43において、ストップスイッチ50の操作のタイミングが、ベル１〜２７役のうちのいずれかのベル役に対応する図柄を有効ライン上に引き込み可能な場合には、当該図柄を有効ライン上に引き込んで、ベル役を入賞させることができる。しかし、ベル１〜２７役のうちのベル役に対応する図柄のうちのいずれも有効ライン上に引き込むことができない場合には、ベルブランクを有効ライン上に停止表示させ、この場合には入賞はしない。
【００４０】
このように、「押し順ベル」が当選した場合において、当該「押し順ベル」に設定された正解の押し順でストップスイッチ50が操作された場合には、必ずベル２８役が入賞し、正解の押し順でストップスイッチ50が操作されなかった場合には、ベル２８役は入賞せず、ベル１〜２７役のうちのいずれかが入賞するか、あるいは何の役も入賞しないようになっている。
さらに、停止制御手段92は、役抽選により、いずれかの「押し順リプレイ」が当選した場合には、ストップスイッチ50の押し順によって、入賞する再遊技役が変化するように停止制御を行う。具体的には、図６に示すように、「リプレイＢ」の当選時において、左第一停止又は右第一停止でストップスイッチ50が操作された場合には、右リール43において、ベル図柄に優先して、リプレイ図柄を有効ライン上に引き込んで、リプレイ１役を入賞させる。また、「リプレイＢ」の当選時において、中第一停止でストップスイッチ50が操作された場合には、右リール43において、リプレイ図柄に優先して、ベル図柄を有効ライン上に引き込んで、リプレイ２役を入賞させる。後述するが、通常状態中にリプレイ２役が入賞すると、遊技状態がＲＴ状態に移行するようになっている。
【００４１】
「リプレイＣ」の当選時において、左第一停止でストップスイッチ50が操作された場合には、中リール42及び右リール43の各々において、ベル図柄に優先して、リプレイ図柄を有効ライン上に引き込んで、リプレイ１役を入賞させる。また、「リプレイＣ」の当選時において、中第一停止でストップスイッチ50が操作された場合には、中リール42において、リプレイ図柄に優先して、ベル図柄を有効ライン上に引き込み、右リール43において、リプレイ図柄を有効ライン上に引き込んで、リプレイ３役を入賞させる。後述するが、ＲＴ状態中にリプレイ３役が入賞すると、遊技状態が通常状態に移行するようになっている。また、「リプレイＣ」の当選時において、右第一停止でストップスイッチ50が操作された場合には、右リール43において、リプレイ図柄に優先して、ベル図柄を有効ライン上に引き込み、中リール42において、リプレイ図柄を有効ライン上に引き込んで、リプレイ２役を入賞させる。
【００４２】
「リプレイＤ」の当選時において、左第一停止でストップスイッチ50が操作された場合には、中リール42において、リプレイ図柄に優先して、ベル図柄を有効ライン上に引き込み、右リール43において、ベル図柄に優先して、リプレイ図柄を有効ライン上に引き込んで、リプレイ３役を入賞させる。また、「リプレイＤ」の当選時において、中第一停止又は右第一停止でストップスイッチ50が操作された場合には、中リール42及び右リール43の各々において、ベル図柄に優先して、リプレイ図柄を有効ライン上に引き込んで、リプレイ１役を入賞させる。
「リプレイＥ」の当選時において、右第一停止でストップスイッチ50が操作された場合には、右リール43において、ベル図柄に優先して、リプレイ図柄を有効ライン上に引き込み、中リール42において、ベル図柄を有効ライン上に引き込んで、リプレイ３役を入賞させる。また、「リプレイＥ」の当選時において、左第一停止又は中第一停止でストップスイッチ50が操作された場合には、中リール42において、ベル図柄に優先して、リプレイ図柄を有効ライン上に引き込み、右リール43において、リプレイ図柄に優先して、ベル図柄を有効ライン上に引き込んで、リプレイ２役を入賞させる。
【００４３】
（遊技結果判定手段100）
遊技結果判定手段100は、ストップスイッチ50の操作によって回転リール40が全て停止したときに、当該遊技の結果を判定するものである。
具体的には、停止制御手段92の記憶している停止図柄の情報に基づき、有効ライン上に揃った図柄組合せが、所定の役に対応するものか否かを判断し、所定の役に対応する図柄組合せが有効ライン上に表示されたと判断した場合には、その判定結果情報を、払出制御手段110及び遊技状態移行制御手段80に送信する。また、役に対応する図柄組合せではないが、遊技状態の移行契機となっている図柄組合せが表示されたと判断した場合には、その判定結果情報を、遊技状態移行制御手段80に送信する。判定結果情報を受信した遊技状態移行制御手段80は、ボーナス作動中状態やＲＴ状態への移行処理、あるいは再遊技作動処理を行う。再遊技が作動すると、次ゲーム開始前に、自動的に規定数のメダルが投入された扱い（自動ベット）とされる。具体的には、ベットスイッチ16の操作又はメダル投入によらず、図示しない所定のベット表示部にベット表示（掛け枚数の表示）がされて、その後のスタートスイッチ30の操作が可能となる。さらに、サブ制御装置22に所定の信号出力を行うことにより、液晶表示装置67やランプ68やスピーカ69により、入賞やボーナスゲームの開始に際して所定の演出が行われる。
【００４４】
（払出制御手段110）
払出制御手段110は、ホッパーユニット65によるメダルの払い出しを制御するものである。具体的には、遊技結果判定手段100の判定結果及び精算スイッチ17の操作に基づいて、ホッパーユニット65を作動させメダルを払い出させる。すなわち、遊技結果判定手段100が小役の入賞を判定した場合には、当該小役の入賞に応じたメダルを払い出し、クレジットが１以上ある場合に精算スイッチ17が操作されたときには、クレジットとして貯留されているメダルを払い出すようになっている。
本実施の形態では、各小役の払い出し枚数は、規定数ごとに予め定められており（図４参照）、規定数３枚で遊技中に、遊技結果判定手段100が例えばベル１役の入賞を判定した場合には、当該ベル１役の入賞に応じた９枚のメダルを払い出し、規定数２枚で遊技中に、遊技結果判定手段100が例えばベル１役の入賞を判定した場合には、当該ベル１役の入賞に応じた１０枚のメダルを払い出す。
【００４５】
（遊技状態の移行）
ここで、上記した遊技状態移行制御手段80の制御に基づく遊技状態の移行について、図７を参照しつつ説明する。本実施の形態では、上述したように、遊技状態として、通常状態、ボーナス内部中状態、ボーナス作動中状態及びＲＴ状態を有している。また、ボーナス作動中状態として、ＢＢ状態及びＲＢ状態を有している。
本実施の形態におけるスロットマシン10は、初期状態（工場出荷時）の遊技状態は、通常状態となっている。すなわち、役抽選手段70は、役抽選に用いる役抽選テーブル71として通常テーブル（図５参照）を取得している。そして、通常状態中に、ボーナス役が当選した場合にはボーナス内部中状態に移行し、ボーナス内部中状態において、ＢＢ役が入賞した場合には、ボーナス作動中状態のうちＢＢ状態に移行し、ＲＢ役が入賞した場合には、ボーナス作動中状態のうちＲＢ状態に移行する。そして、予め定められた枚数を超えるメダルが払い出されると、ボーナス作動中状態が終了し、通常状態に移行する。これにより、ボーナスゲームが終了する。本実施の形態では、ＢＢゲームは、２９９枚を超えるメダルが払い出されると終了するように設定され、ＲＢゲームは、５９枚を超えるメダルが払い出されると終了するように設定されている。
【００４６】
一方、通常状態中にリプレイ２役が入賞した場合には、ＲＴ状態に移行する。また、ＲＴ状態中（以下ＲＴ中と省略する）に、ボーナス役が当選した場合にはボーナス内部中状態に移行し、ベルブランクが表示された場合又はリプレイ３役が入賞した場合には通常状態に移行するようになっている。ここで、通常状態中においては、所定条件の下で、後述するＡＴ制御手段150の制御に基づき、「押し順リプレイ」が当選した場合に、リプレイ２役を入賞させるためのストップスイッチ50の押し順（操作態様）を遊技者に報知（ナビ）する報知演出（移行ナビ）が行われるとともに、ＲＴ中においては、「押し順ベル」が当選した場合に正解の押し順を遊技者に報知（ナビ）する報知演出（ベルナビ）、及び、「押し順リプレイ」が当選した場合に、リプレイ１役又はリプレイ２役を入賞させるためのストップスイッチ50の押し順を遊技者に報知（ナビ）する報知演出（維持ナビ）が行われるようになっているが、これについては後述する。
【００４７】
（信号出力手段120）
信号出力手段120は、サブ制御装置22に、遊技の進行に関する情報や所定のコマンドを出力するものである。例えば、現時点の遊技状態、役抽選の結果、ストップスイッチ50の停止操作の態様、遊技結果、メダルの払い出しなど、遊技の進行に関する情報や、演出を開始させたり終了させたりするためのコマンドを、所定の契機で、サブ制御装置22に出力する。
（サブ制御装置22）
サブ制御装置22は、主として遊技の演出を制御するものであり、具体的には、メイン制御装置21からの出力信号に基づいて、液晶表示装置67やランプ68やスピーカ69等の演出装置に演出を実行させるものである。サブ制御装置22は、図２に示すように、信号入力手段130、サブ状態移行制御手段140、ＡＴ制御手段150、ナビ種別決定手段160、操作態様決定手段170、報知演出態様決定手段180、及び演出制御手段190などの各手段として機能する。
【００４８】
ここで、信号入力手段130は、メイン制御装置21からのコマンドや遊技の進行に関する情報信号を入力するものである。サブ制御装置22は、これらの信号入力によって、メイン制御装置21の制御に基づく遊技の状況を把握することができるようになっている。なお、サブ制御装置22からメイン制御装置21への信号出力はできないようになっている。
（サブ状態移行制御手段（演出状態移行制御手段）140）
サブ状態移行制御手段140は、サブ状態（演出状態）を決定し、複数のサブ状態の間でサブ状態を移行させる制御を行うものであり、特に図示しないが、移行条件判定手段と、サブ状態記憶手段とを備えている。
【００４９】
移行条件判定手段は、メイン制御装置21から送信されて受信した諸情報に基づいて、遊技の状況が、サブ状態を移行させるための所定条件に該当するか否かを判定するためのものである。具体的には、移行条件判定手段は、メイン制御装置21から送信されて受信した所定の遊技結果情報（遊技状態に関する情報、当該遊技での停止図柄の情報）に基づいて、所定のサブ状態への移行又は終了（他のサブ状態への移行）を決定するようになっている。なお、サブ状態の移行の具体例については後述する。
また、サブ状態記憶手段は、前記移行条件判定手段の判定結果に基づいて、現在のサブ状態を記憶する所定のサブ状態フラグを成立させるためのものである。ここで、サブ状態には、ＡＴが実行される状態であるＡＴ状態と、それ以外のサブ状態である非ＡＴ状態がある。ＡＴ状態には、図８及び９に示すように、ＡＲＴ準備状態、ＡＲＴ中状態及び復帰待ち状態が設けられている。非ＡＴ状態には、サブ通常状態、転落待ち状態及びボーナス中状態が設けられている。ＡＲＴ準備状態は、遊技状態が通常状態である場合のＡＴ状態であって、遊技状態がＲＴ状態に移行するまでの準備状態である。遊技状態がＲＴ状態に移行すると、ＡＲＴゲームとなる。ＡＲＴ中状態は、遊技状態がＲＴ状態である場合のＡＴ状態である。復帰待ち状態は、遊技状態が通常状態である場合のＡＴ状態であって、ＡＲＴ中状態において、遊技状態がＲＴ状態から通常状態に転落（移行）した場合における、遊技状態がＲＴ状態に復帰（移行）するまでの状態である。転落待ち状態は、遊技状態がＲＴ状態である場合の非ＡＴ状態であって、ＡＲＴの終了後に遊技状態がＲＴ状態から通常状態に転落するまでの状態である。サブ通常状態は、通常のサブ状態である。ボーナス中状態は、遊技状態がボーナス作動中状態である場合、すなわちボーナスゲーム中のサブ状態である。ここで、ＡＴ（アシストタイム）とは、当選した役に関する情報（本実施の形態では押し順）を遊技者に報知する報知演出が行われる遊技期間であり、ＡＲＴ（アシストリプレイタイム）とは、ＲＴ状態中にＡＴが行われる遊技期間である。ＡＴ状態では、「押し順ベル」の当選時に上述したベルナビが行われ、サブ通常状態では、原則として、ベルナビは行われないものとなっている。このため、サブ状態がＡＴ状態である遊技は、サブ状態がサブ通常状態である遊技よりも遊技者にとって有利なものとなっている。
【００５０】
そして、サブ状態記憶手段は、移行条件判定手段の決定に基づいて、上記した各サブ状態それぞれに対応するサブ状態フラグをセットし、又はリセットする。なお、サブ通常状態については、サブ状態フラグをセットしないようにしてもよい。サブ状態フラグの有無及び種類に応じて、ＡＴ制御手段150の制御内容が変化する。
（サブ状態の移行）
ここで、上記構成を有するサブ状態移行制御手段140の制御に基づくサブ状態の移行の具体例を、図８に基づき説明する。
前述したように、スロットマシン10は、初期状態（工場出荷時等）においては、遊技状態は通常状態であり、サブ状態もサブ通常状態となっている。そして、サブ通常状態中に、後述するＡＴ抽選に当選すると、ＡＲＴ準備状態に移行する。すなわち、移行条件判定手段がＡＲＴ準備状態への移行を決定し、サブ状態記憶手段がＡＲＴ準備状態中フラグをセットする（サブ状態移行時において以下同様）。ＡＲＴ準備状態中においては、上述したベルナビ及び移行ナビが行われるようになっている。
【００５１】
ここで、通常状態中は、「押し順リプレイ」として「リプレイＢ」及び「リプレイＣ」が抽選対象となっている（図５参照）。「リプレイＢ」の当選時には、中第一停止を促す移行ナビが行われ、「リプレイＣ」の当選時には、右第一停止を促す移行ナビが行われる。そして、当該移行ナビに従うことで、遊技状態がＲＴ状態に移行する。
遊技状態がＲＴ状態に移行すると、サブ状態は、ＡＲＴ中状態に移行する。ＡＲＴ中状態は、５０ゲームを基本としてゲーム数が上乗せされた場合には上乗せゲーム数を加えたゲーム数を１セットとするセット数により管理されるものとなっている。そして、ＡＲＴ中状態においては、ＡＴのゲーム数のカウントが行われ、設定されたゲーム数（５０ゲーム＋上乗せゲーム数）を消化したときに、セット数がストック（貯留）されていればＡＲＴ中状態が継続するが、セット数がストックされていなければ、サブ状態は、転落待ち状態に移行する。ＡＲＴ中状態においては、上述したベルナビ及び維持ナビが行われるようになっている。
【００５２】
ここで、ＲＴ状態中は、「押し順リプレイ」として「リプレイＣ」〜「リプレイＥ」が抽選対象となっている（図５参照）。「リプレイＣ」の当選時には、左第一停止を促す維持ナビが行われ、「リプレイＤ」の当選時には、右第一停止を促す維持ナビが行われ、「リプレイＥ」の当選時には、中第一停止を促す維持ナビが行われる。そして、当該維持ナビに従うことで、遊技状態がＲＴ状態に維持される（通常状態に移行しない）。一方、維持ナビに従わないと、遊技状態が通常状態に転落し得る。同様に、ベルナビに従うことで、遊技状態はＲＴ状態に維持される（通常状態に移行しない）が、ベルナビに従わないと、ベルブランクが表示された場合に遊技状態が通常状態に転落する。
【００５３】
ＡＲＴ中状態において遊技状態が通常状態に転落すると、サブ状態は、復帰待ち状態に移行する。復帰待ち状態においては、上述したベルナビ及び移行ナビが行われるようになっている。そして、移行ナビに従うことで、遊技状態がＲＴ状態に復帰する。遊技状態がＲＴ状態に復帰すると、サブ状態は、ＡＲＴ中状態に移行する。なお、復帰待ち状態においても、ＡＴのゲーム数のカウントは行われ、設定されたゲーム数を消化したときに、セット数がストックされていなければ、サブ状態は、サブ通常状態に移行する。
上述したように、セット数の消化により、サブ状態は、転落待ち状態に移行する。転落待ち状態では、上述したベルナビ、移行ナビ及び維持ナビのいずれも行われないようになっている。そして、遊技状態が通常状態に転落すると、サブ状態は、サブ通常状態に移行する。
【００５４】
また、図８では明記してないが、遊技状態がボーナス作動中状態に移行すると、すなわちボーナスゲームに移行すると、サブ状態は、ボーナス中状態に移行する。そして、ボーナスゲームが終了すると、サブ状態は、サブ通常状態又はＡＲＴ準備状態に移行する。
（ＡＴ制御手段150）
ＡＴ制御手段150は、ＡＴの開始及び終了を制御するものであり、特に図示しないが、ＡＴ抽選手段と、ＡＴカウンタとを備えている。
（ＡＴ抽選手段）
ＡＴ抽選手段は、ＡＴの実行の有無及びゲーム数を抽選により決定するためのものである。本実施の形態では、ＡＴ抽選手段は、サブ通常状態、転落待ち状態又はＡＴ状態中において、ボーナス役、スイカ役又はチェリー役などの特定役の当選時などに、ＡＴ抽選を行う。ＡＴ抽選では、ＡＴのセット数を、例えば１〜７セットの範囲で決定する。ＡＴ抽選で当選した場合にはＡＴ実行フラグをセットして抽選結果を記憶し、ＡＴが実行された場合にはＡＴ実行フラグをリセットする。ＡＴ実行フラグは複数ストックすることができ、ＡＴ実行フラグを有している間は、ＡＴの実行が決定されている状態となる。
【００５５】
また、ＡＴ抽選手段は、ＡＴ状態中において、ボーナス役、スイカ役又はチェリー役などの特定役の当選時などに、ＡＴのゲーム数の上乗せ抽選を行う。上乗せ抽選では、ＡＴのゲーム数（上乗せゲーム数）を、例えば１０〜３００のゲーム数の範囲で決定する。
すなわち、本実施の形態では、ＡＴ状態中は、ボーナス役、ＡＴのセット数及びゲーム数の上乗せの全てに同時に当選することがある。
（ＡＴカウンタ）
ＡＴカウンタは、ＡＴのセット数及びゲーム数をカウントするものである。具体的には、後述するＡＴ抽選で当選すると、ＡＴのセット数を、当選に係る数だけ加算して記憶するとともに、１セット（５０ゲーム＋上乗せゲーム数）終了ごとに、記憶値を１だけ減算する。また、上乗せ抽選で当選すると、ＡＴのゲーム数の上乗せの有無を遊技者に報知する上乗せ演出が所定のゲーム数にわたって行われて、当選に係るゲーム数を加算する。ＡＴカウンタがゲーム数を有している間は、ＡＲＴ中状態が継続する。なお、ＡＴカウンタは、遊技状態のＲＴ状態への移行を契機に、ゲーム数のカウント（具体的には減算）を開始する。また、遊技状態がＲＴ状態から通常状態へ転落しても、ＡＴカウンタは、ＡＴのゲーム数のカウントを継続する、すなわち復帰待ち状態のサブ状態においてもＡＴのゲーム数のカウントを継続する。一方、ＡＲＴ中状態又は復帰待ち状態中に、ボーナス役に当選した場合には、ＡＴのゲーム数のカウントを中断するとともに現在のゲーム数及びセット数の情報をリセットすることなく保持し、ボーナスゲームの終了後、遊技状態がＲＴ状態に移行したことを契機に、中断したゲーム数のカウントを再開する。
【００５６】
（ナビ種別決定手段160）
ナビ種別決定手段160は、上述したベルナビ（報知演出）、移行ナビ（報知演出）又は移行ナビ（報知演出）を実行するか否か及び／又は「押し順リプレイ」においていずれの押し順を遊技者に報知するかを示す情報であるナビ種別を役抽選の結果とサブ状態（演出状態）とに基づいて決定するものである。ナビ種別決定手段160は、図２に示すように、ナビ種別テーブル161を備えている。
図９（Ａ）に示すように、ナビ種別テーブル161には、役抽選の結果とサブ状態とに基づいて、ナビ種別が規定されている。ナビ種別としては、「有り」、「無し」、「上昇」及び「維持」が設けられている。ここで、「有り」は、ベルナビを実行することを示す情報であり、「無し」は、いずれの報知演出も実行しないことを示す情報であり、「上昇」は、移行ナビを実行することを示す情報であり、「維持」は、維持ナビを実行することを示す情報である。そして、「押し順リプレイ」に対しては、「無し」、「上昇」及び「維持」のいずれかのナビ種別が、サブ状態に応じて設定されている。また、「押し順ベル」に対しては、「有り」及び「無し」のいずれかのナビ種別が、サブ状態に応じて設定されている。
【００５７】
ナビ種別決定手段160は、ナビ種別テーブル161を参照して、役抽選の結果とサブ状態とに基づいてナビ種別を決定する。
また、ナビ種別決定手段160は、役抽選により「押し順リプレイ」又は「押し順ベル」に当選した場合にのみ、ナビ種別テーブル161を参照してナビ種別を決定する。
なお、本実施の形態では、「押し順リプレイ」及び「押し順ベル」に対してのみナビ種別を設定しているが、これに限られるものではなく、例えばスイカ役やチェリー役やボーナス役や、ハズレに対してもナビ種別を設定し、役抽選の結果が、「押し順リプレイ」又は「押し順ベル」以外の抽選結果となった場合にもナビ種別を決定するようにしてもよい。
【００５８】
（操作態様決定手段170）
操作態様決定手段170は、報知演出で遊技者に報知するストップスイッチ50の押し順（操作態様）を少なくとも役抽選の結果に基づいて決定するものである。本実施の形態では、役抽選の結果とナビ種別決定手段160により決定されたナビ種別とに基づいて、報知演出で報知する押し順を決定する。操作態様決定手段170は、図２に示すように、リプレイ押し順テーブル171と、ベル押し順テーブル172とを備えている。
図９（Ｂ）に示すように、リプレイ押し順テーブル171には、役抽選の結果とナビ種別とに基づいて、押し順が規定されている。なお、「リプレイＢ」における「維持」のナビ種別に対しては、押し順が設定されていないが、これは、ＲＴ状態においては、「リプレイＢ」が役抽選の抽選対象に設定されていないので、維持ナビを行うことがない仕様となっているからである。同様に、「リプレイＤ」及び「リプレイＥ」における「上昇」のナビ種別に対しては、押し順が設定されていないが、これは、通常状態においては、「リプレイＤ」及び「リプレイＥ」が役抽選の抽選対象に設定されていないので、移行ナビを行うことがない仕様となっているからである。そして、操作態様決定手段170は、役抽選により「押し順リプレイ」に当選し、ナビ種別決定手段160によりナビ種別が「上昇」又は「維持」に決定された場合に、リプレイ押し順テーブル171を参照して、役抽選の結果とナビ種別決定手段160により決定されたナビ種別とに基づいて、報知演出で報知する押し順を決定する。なお、本実施の形態では、ナビ種別が「無し」に決定された場合には、押し順を決定しない。
【００５９】
図９（Ｃ）に示すように、ベル押し順テーブル172には、役抽選の結果とナビ種別とに基づいて、押し順が規定されている。そして、操作態様決定手段170は、役抽選により「押し順ベル」に当選し、ナビ種別決定手段160によりナビ種別が「有り」に決定された場合に、ベル押し順テーブル172を参照して、役抽選の結果とナビ種別決定手段160により決定されたナビ種別とに基づいて、報知演出で報知する押し順を決定する。なお、本実施の形態では、ナビ種別が「無し」に決定された場合には、押し順を決定しない。
（報知演出態様決定手段180）
報知演出態様決定手段180は、制御装置20の制御による遊技の状況に基づいて、報知演出の演出態様を、複数の演出態様のうちから決定するものである。報知演出態様決定手段180は、通常時テーブル181と、上昇テーブル182、チャンステーブル183と、ガセテーブル184とを備え、これらのテーブルのいずれかを参照してナビ演出抽選を行い、報知演出の演出態様を決定する。
【００６０】
本実施の形態では、報知演出の演出態様として、通常パターン、チャンスパターン１、チャンスパターン２及びチャンスパターン３が設けられている。ここで、本実施の形態は、ベルナビ（報知演出）、移行ナビ（報知演出）及び維持ナビ（報知演出）は、図１０に示すように、液晶表示装置67に、ストップスイッチ50の押し順を数字などで表示させたり、スピーカ69から音声により指示したり、ストップスイッチ50のボタンの内部に設けた発光体の発光色を変化させて、最初に操作すべきストップスイッチ50を示すことなどにより、押し順を遊技者に報知する。なお、図１０は、液晶表示装置67による、右第一停止の押し順を報知する報知演出を示している。そして、通常パターンは、図１０（Ａ）に示すように、白色の円形の枠の背景の中に押し順を黒色で表示する態様である。チャンスパターン１は、図１０（Ｂ）に示すように、花の形状の枠（花柄）の背景の中に押し順を黒色で表示する態様である。チャンスパターン２は、図１０（Ｃ）に示すように、白色の円形の枠の背景の中に押し順を赤色で表示する態様である。チャンスパターン３は、図１０（Ｄ）に示すように、赤色の円形の枠の背景の中に押し順を黒色で表示する態様である。
【００６１】
通常時テーブル181、上昇テーブル182、チャンステーブル183及びガセテーブル184は、図１１に示すように、ナビ演出抽選の抽選確率が規定されたものである。通常時テーブル181は、ナビ種別が「上昇」ではなく、かつ、後述する所定のチャンス演出実行条件及びガセ演出実行条件が成立していない通常時（制御装置20の制御による遊技の状況）に参照されるテーブルであり、図１１（Ａ）に示すように、通常パターンが選択される確率が１００％に設定されている。上昇テーブル182は、ナビ種別が「上昇」である場合、すなわち通常状態において「押し順リプレイ」に当選した場合（制御装置20の制御による遊技の状況）に参照されるテーブルであり、図１１（Ｂ）に示すように、チャンスパターン１が選択される確率が１００％に設定されている。チャンステーブル183は、所定のチャンス演出実行条件が成立している場合に参照されるテーブルであり、図１１（Ｃ）に示すように、チャンスパターン１〜３のいずれかが選択され得るように設定されている。ここで、所定のチャンス演出実行条件が成立している場合とは、遊技状態がボーナス内部中状態、すなわちボーナス役に当選している場合（制御装置20の制御による遊技の状況）及び上乗せ抽選で当選している場合（制御装置20の制御による遊技の状況）、具体的には上乗せ演出中である。ガセテーブル184は、所定のガセ演出実行条件が成立している場合に参照されるテーブルであり、図１１（Ｄ）に示すように、チャンステーブル183よりも低い確率でチャンスパターン１〜３が選択され得るように設定されている。ここで、所定のガセ演出実行条件が成立している場合とは、ボーナス役の当選やＡＴのゲーム数の上乗せを遊技者に期待させる状況（制御装置20の制御による遊技の状況）、例えば上乗せ抽選で当選しなかった場合の上述した上乗せ演出中などである。
【００６２】
なお、報知演出の演出態様としては、通常パターン、チャンスパターン１、チャンスパターン２及びチャンスパターン３に限られるものではなく、背景の枠の形、背景の色、押し順の色、スピーカ69から発する音声、及びストップスイッチ50のボタンの内部に設けた発光体の発光色や発光パターンを適宜に組み合わせて他の演出態様を設けることができる。スピーカ69の音声としては、例えば、通常パターンではキャラクターＡ（男性）の音声とし、チャンスパターン１ではキャラクターＢ（女性）の音声とすることができる。ストップスイッチ50の発光体の発光色や発光パターンとしては、例えば、通常パターンでは青色とし、チャンスパターン１では緑色とすることができたり、通常パターンでは所定の色で発光し、チャンスパターン１では点滅するようにすることができたり、チャンスパターン１では点滅し、チャンスパターン２ではチャンスパターン１より高速に点滅するようにすることができる。
【００６３】
（演出制御手段（報知演出実行手段）190）
演出制御手段190は、液晶表示装置67やランプ68やスピーカ69等の演出装置の作動を制御するものである。具体的には、操作態様決定手段170及び報知演出態様決定手段180や、図示しない演出決定手段の決定に基づき、ＲＯＭに記憶されている演出データをもとに、各演出装置に演出データやコマンドを出力して、演出を実行させる。
前記演出データとしては、液晶表示装置67に所定の動画や静止画を表示させるための画像データ、ランプ68を所定の態様で点灯点滅させるための発光パターンデータ、スピーカ69から所定の音声を出力させるための音声データなどが設けられている。また、これらのデータに基づき実行される演出パターンのデータとして、少なくとも、ベルナビ、移行ナビ及び維持ナビを行わせる場合に用いられるナビ演出データと、ナビ演出を行わない場合に用いられる通常演出データと、上述した上乗せ演出の上乗せ演出データとが設けられている。通常演出データには、例えば所定の役が当選した場合に用いられる演出データや、複数回のゲームにわたり連続して実行される連続演出に係る演出データが含まれる。連続演出は、例えば、所定の役が当選した場合やスタートスイッチ30の操作を契機に行われる演出実行抽選に当選した場合に実行が決定され、抽選により決定された、あるいはあらかじめ定められた所定のゲーム数にわたって、所定の筋書きに沿った連続演出が行われるようになっている。連続演出としては、例えばボーナス役やＡＴの当選ついての期待度が異なる複数のパターンを設け、ボーナス役やＡＴの当選の期待度を示唆するものとすることができる。上乗せ演出は、上乗せ抽選が行われた場合に実行が決定され、抽選により決定された、あるいはあらかじめ定められた所定のゲーム数にわたって演出が行われ、最終的にＡＴのゲーム数の上乗せの有無、及び上乗せ抽選で当選していた場合には上乗せゲーム数を報知するようになっている。
【００６４】
ナビ演出データは、左第一停止、中第一停止及び右第一停止の３通りの押し順のデータ（押し順データ）と、通常パターン、チャンスパターン１、チャンスパターン２及びチャンスパターン３の４つの演出態様のデータ（演出態様データ）とから構成されている。演出制御手段190は、操作態様決定手段170により決定された押し順の押し順データと、報知演出態様決定手段180により決定された演出態様の演出態様データとを取得し、これらのデータを各演出装置に出力して、報知演出を実行させる。
ベルナビは、「押し順ベル」が当選した場合に正解の押し順を報知するものである。前述したように、正解の押し順で停止操作された場合には、ベル役が必ず入賞し、不正解の押し順で停止操作された場合には、ベル役が入賞するか、ベルブランクが表示される。すなわち、ベルナビは、ベルブランクが表示されることを回避するためのものということができる。
【００６５】
移行ナビは、「リプレイＢ」又は「リプレイＣ」が当選した場合に、リプレイ２役を入賞させるための押し順を報知するものである。移行ナビに従って停止操作された場合には、リプレイ２役が必ず入賞し、移行ナビに従わなかった場合には、リプレイ２役は入賞せず、リプレイ１役又はリプレイ３役が必ず入賞する。
維持ナビは、「リプレイＣ」、「リプレイＤ」又は「リプレイＥ」が当選した場合に、リプレイ１役又はリプレイ２役を入賞させるための押し順を報知するものである。維持ナビに従って停止操作された場合には、リプレイ１役又はリプレイ２役が必ず入賞し、維持ナビに従わなかった場合には、リプレイ３役が入賞し得る。すなわち、維持ナビは、リプレイ３役の入賞を回避するためのものでということができる。
【００６６】
このように、ベルナビ、移行ナビ又は維持ナビに従ってストップスイッチ50を操作しなかった場合には、ベル役が入賞できなかったり、ＲＴ状態に移行できなかったり、通常状態に転落するなどの事態が生じ得るようになっており、ベルナビ、移行ナビ又は維持ナビに従ってストップスイッチ50を操作した場合よりも遊技者にとって不利になり得るものとなっている。
なお、遊技状態が通常状態であってＡＴの実行が決定していない場合に、リプレイ２役を入賞させるための押し順（中第一停止又は右第一停止）で停止操作された場合には、所定のペナルティを課すようにしてもよい。例えば、所定ゲームの間、ベルナビが行われないようにしたり、ＡＴ抽選や上乗せ抽選が行われないようにすることができる。
【００６７】
（スロットマシン10の作動）
次に、上記構成を有するスロットマシン10の、メイン制御装置21の制御に基づく遊技作動の概略を、図１２のフローに基づき説明する。図１２は、１回のゲームの流れを示す。
まず、ステップ１００において、規定数のメダルがベットされたか否かが判断される。ベットには、メダルの投入、ベットスイッチ16の操作の他、再遊技作動による自動ベットも含まれる。規定数のメダルがベットされない場合にはステップ１００に戻り、規定数のメダルが投入された場合には、次のステップ１０１に進む。
ステップ１０１において、スタートスイッチ30が操作されたか否かが判断される。スタートスイッチ30が操作されていない場合には、ステップ１０１に戻り、スタートスイッチ30が操作された場合には、次のステップ１０２に進む。
【００６８】
ステップ１０２において、役抽選処理が行われる。具体的には、役抽選手段70により役抽選が行われ、この役抽選で当選すると、当選フラグ制御手段75により、当選した役に対応する当選フラグが内部当選状態に設定される。そして、次のステップ１０３に進む。
ステップ１０３において、回転制御手段91により回転リール40の回転開始処理が行われる。具体的には、所定のウエイト時間が経過していることを条件に、全ての回転リール40の回転を一斉に、あるいは所定の順番で開始させる。そして、全ての回転リール40の回転速度が所定の定常回転速度に達すると、この定常回転速度で定速回転を行わせる。そして、次のステップ１０４に進む。
【００６９】
ステップ１０４において、いずれかのストップスイッチ50が操作されたか否かが判断される。ストップスイッチ50が操作されていない場合には、ステップ１０４に戻り、いずれかのストップスイッチ50が操作された場合には、次のステップ１０５に進む。
ステップ１０５において、操作されたストップスイッチ50に対応する回転リール40の停止制御が行われる。そして、次のステップ１０６に進む。
ステップ１０６において、全ての回転リール40が停止したか、すなわち３個の回転リール40に対応するストップスイッチ50の操作が行われたか否かが判定される。全ての回転リール40が停止していない場合にはステップ１０４に戻り、全ての回転リール40が停止した場合には、次のステップ１０７に進む。
【００７０】
ステップ１０７において、遊技結果判定処理が行われる。そして、次のステップ１０８に進み、遊技結果に応じた処理が行われる。すなわち、所定の役が入賞した場合には、入賞メダルの払い出しや、再遊技作動や、ボーナスゲームへの移行処理が行われ、１回の遊技が終了する。所定の役は入賞しないものの、遊技状態の移行契機となる図柄組合せが表示された場合には、遊技状態の移行処理が行われる。何の役も入賞せず、かつ遊技状態の移行契機となる図柄組合せも表示されない場合には、そのまま１回の遊技が終了する。
次に、サブ制御装置22の制御に基づく、報知演出を実行する処理である報知演出実行処理について、図１３のフローに基づき説明する。図１３は、１回のゲームにおける処理を示すものである。なお、図１３に示す報知演出実行処理は、サブ制御装置22が制御する演出全体の処理のなかの一部の処理として行われるものである。すなわち、報知演出を実行する際には、押し順を液晶表示装置67に表示させたりする以外にも、ＡＲＴ中であることを示す画像を液晶表示装置67に表示させたり、ＡＲＴ中であることを示す音楽（ＢＧＭ）をスピーカ69から出力させたりする。
【００７１】
また、役抽選の結果や現在の遊技状態などのメイン制御装置21の制御に基づく遊技の状況は、メイン制御装置21から遊技の進行に応じて出力される情報信号の入力に基づき判断される。
役抽選の結果を受信すると（ステップ２００でＹ）、「押し順リプレイ」又は「押し順ベル」に当選したか否かが判断される。「押し順リプレイ」又は「押し順ベル」のいずれにも当選しなかった場合には（ステップ２０２でＮ）、当該報知演出実行処理は終了するが、「押し順リプレイ」又は「押し順ベル」のいずれかに当選した場合には（ステップ２０１でＹ）、ナビ種別を決定するナビ種別決定処理が行われ（ステップ２０２）、ナビ種別決定処理でナビ種別が「無し」に決定されなかった場合には（ステップ２０３でＮ）、押し順を決定する押し順決定処理が行われ（ステップ２０４）、報知演出の演出態様を決定する演出態様決定処理が行われ（ステップ２０５）、決定した押し順に基づいて押し順データが取得されるとともに決定した演出態様に基づいて演出態様データが取得され、これらのデータが各演出装置に出力されて、報知演出が実行される（ステップ２０６）。そして、当該報知演出実行処理は終了する。
【００７２】
一方、ナビ種別決定処理でナビ種別が「無し」に決定された場合には（ステップ２０３でＹ）、押し順決定処理及び演出態様決定処理は行われないとともに報知演出は実行されず、当該報知演出実行処理は終了する。
このように、本実施の形態では、報知演出を実行する際に、押し順を決定する処理（押し順決定処理）と、演出態様を決定する処理（演出態様決定処理）とを切り分けている。これにより、これらの各処理を簡潔なものとすることができ、結果として報知演出実行処理が複雑なものとなってしまうことを防止することができるのである。
次に、上述したステップ２０２のナビ種別決定処理について、図１４のフローに基づき説明する。
【００７３】
ナビ種別テーブル161が参照され（ステップ３００）、役抽選の結果と現在のサブ状態とに基づいてナビ種別が決定される（ステップ３０１）。具体的には、「押し順リプレイ」の当選時に、サブ状態がサブ通常状態又は転落待ち状態である場合にはナビ種別が「無し」に決定され、サブ状態がＡＲＴ準備状態又は復帰待ち状態である場合にはナビ種別が「上昇」に決定され、サブ状態がＡＲＴ中状態である場合にはナビ種別が「維持」に決定される。「押し順ベル」の当選時に、サブ状態がサブ通常状態又は転落待ち状態である場合にはナビ種別が「無し」に決定され、サブ状態がＡＲＴ準備状態、ＡＲＴ中状態又は復帰待ち状態である場合にはナビ種別が「有り」に決定される。そして、当該ナビ種別決定処理が終了する。
次に、上述したステップ２０４の押し順決定処理について、図１５のフローに基づき説明する。
「押し順リプレイ」に当選した場合には（ステップ４００でＹ）、リプレイ押し順テーブル171が参照されて（ステップ４０１）、役抽選の結果とナビ種別とに基づいて、押し順が決定される（ステップ４０３）。一方、「押し順リプレイ」に当選しなかった、すなわち「押し順ベル」に当選した場合には（ステップ４００でＮ）、ベル押し順テーブル172が参照されて（ステップ４０２）、役抽選の結果とナビ種別とに基づいて、押し順が決定される（ステップ４０３）。
【００７４】
次に、上述したステップ２０５の演出態様決定処理について、図１６のフローに基づき説明する。
ナビ種別が「上昇」に決定された場合には（ステップ５００でＹ）、上昇テーブル182が参照されて（ステップ５０１）、ナビ演出抽選が行われ（ステップ５０７）、上昇テーブル182ではチャンスパターン１が必ず選択されるように抽選確率が設定されているので、演出態様がチャンスパターン１に決定される（ステップ５０８）。そして、当該演出態様決定処理は終了する。このように、移行ナビを実行する際には、必ずチャンスパターン１で実行するようにして、押し順を誤らないように遊技者に注意を喚起するようにしている。
【００７５】
一方、ナビ種別が「上昇」に決定されず（ステップ５００でＮ）、かつ、所定のチャンス演出実行条件が成立した場合、具体的には遊技状態がボーナス内部中状態である場合又は上乗せ抽選で当選している場合には（ステップ５０２でＹ）、チャンステーブル183が参照されて（ステップ５０３）、ナビ演出抽選が行われ（ステップ５０７）、演出態様が、通常パターン、チャンスパターン１〜３のうちのいずれかに決定される（ステップ５０８）。そして、当該演出態様決定処理は終了する。
一方、ナビ種別が「上昇」に決定されず（ステップ５００でＮ）、所定のチャンス演出実行条件が成立しておらず（ステップ５０２でＮ）、かつ、所定のガセ演出実行条件が成立している場合、具体的にはボーナス役の当選やＡＴのゲーム数の上乗せを遊技者に期待させる状況（例えばスイカ役やチェリー役などの特定役に当選してから所定ゲーム数以内）である場合には（ステップ５０４でＹ）、ガセテーブル184が参照されて（ステップ５０５）、ナビ演出抽選が行われ（ステップ５０７）、演出態様が、通常パターン、チャンスパターン１〜３のうちのいずれかに決定される（ステップ５０８）。そして、当該演出態様決定処理は終了する。
【００７６】
一方、ナビ種別が「上昇」に決定されず（ステップ５００でＮ）、所定のチャンス演出実行条件が成立しておらず（ステップ５０２でＮ）、かつ、所定のガセ演出実行条件が成立してない場合には（ステップ５０４でＮ）、通常時テーブル181が参照されて（ステップ５０６）、ナビ演出抽選が行われ（ステップ５０７）、通常時テーブル181では通常パターンが必ず選択されるように抽選確率が設定されているので、演出態様が通常パターンに決定される（ステップ５０８）。そして、当該演出態様決定処理は終了する。
（総括）
以上説明したように、本実施の形態では、報知演出を実行する際に、押し順を決定する処理（押し順決定処理）と、演出態様を決定する処理（演出態様決定処理）とを切り分けたので、これらの各処理を簡潔なものとすることができ、結果として、実行する報知演出を決定する処理（報知演出実行処理）を簡潔なものとすることができ、間違った操作態様を遊技者に報知することをできるだけ防止することができる。
【００７７】
また、本実施の形態によれば、操作態様決定処理を確認するだけで、報知演出で遊技者に報知するストップスイッチ50の押し順が正しいか否かを判断することができるので、報知する押し順が正しいか否かを容易に確認することができる。
また、本実施の形態によれば、演出態様決定処理で間違った演出態様が仮に決定されたとしても、操作態様決定処理は、演出態様決定処理とは切り分けられているので、正しい押し順を遊技者に報知することができ、遊技性を損なわないようにすることができる。
（他の実施の形態）
上述した実施の形態における、図１３の報知演出実行処理では、ステップ２０３を設けないようにしてもよい。この場合には、ステップ２０６において、押し順と演出態様が共に決定されている場合にのみ報知演出を実行し、少なくともいずれかが決定されていない場合には報知演出を実行しないようにすることができる。
【００７８】
また、上述した実施の形態では、報知演出を実行するか否かを決定する報知演出実行決定手段を設け、報知演出実行決定手段により報知演出を実行することが決定された場合にのみ、ナビ種別を決定するようにすることができる。この場合には、ナビ種別として、「上昇」及び「維持」のみを設ければ足りることとなる。すなわち、「押し順ベル」においては、報知する押し順と役抽選の結果とが一対一の対応関係となっており、役抽選の結果によって報知する押し順が一義的に決まるので、報知演出実行決定手段により報知演出を実行することが決定されれば、押し順を決定することができるからである。このようにすると、サブ状態が通常状態である場合にベルナビを実行する際に、処理を簡潔にすることができるようになる。
【００７９】
また、上述した実施の形態では、ナビ種別として、「有り」、「無し」、「上昇」及び「維持」を設けているが、これに限られるものではない。例えば、報知演出として、「リプレイＣ」、「リプレイＤ」又は「リプレイＥ」が当選したときにリプレイ３役を入賞させるための押し順を報知する転落ナビ（報知演出）をさらに設け、転落待ち状態において転落ナビを実行するようにした場合には、ナビ種別として、転落ナビを実行することを示す情報である「転落」をさらに設けることができる。
また、例えば、遊技状態として、ＲＴ２状態をさらに設け、報知演出として、遊技状態をＲＴ状態からＲＴ２状態に移行させるための移行ナビ２（報知演出）と、遊技状態をＲＴ２状態からＲＴ状態に移行させるための移行ナビ３（報知演出）とをさらに設け、ＡＲＴ中状態において、所定の契機で移行ナビ２を実行可能とし、ＲＴ２状態に移行したときに、ＲＴ状態中よりもＡＴのゲーム数を上乗せし易く形成した場合には、ナビ種別として、移行ナビ２を実行することを示す情報である「移行２」と、移行ナビ３を実行することを示す情報である「移行３」とをさらに設けることができる。
【００８０】
また、上述した実施の形態では、報知演出の演出態様が変化する場合、言い換えれば遊技者に期待感を持たせる対象は、ボーナス役の当選や上乗せ抽選の当選であるが、これに限られるものではない。例えば、通常のＡＲＴと、擬似ボーナスとしてのＡＲＴとの２種類のＡＲＴを設け、通常のＡＲＴ中において、擬似ボーナスに移行することを対象として良い。ここで、擬似ボーナスとは、サブ制御装置22におけるＡＴに関する制御が通常のＡＲＴとは少なくとも異なるものであって、赤７図柄などのボーナス図柄が揃うことで遊技状態が移行して開始されるＡＲＴである。
また、上述した実施の形態では、押し順決定処理（ステップ２０４）の後に演出態様決定処理（ステップ２０５）を行うものであるが、演出態様決定処理の後に押し順決定処理を行うようにしてもよい。
【００８１】
また、上述した実施の形態では、操作態様は、押し順であるがこれに限られるものではなく、例えば操作のタイミングとしてもよい。この場合には、例えば、左リール41に、赤７図柄、青７図柄、ＢＡＲ図柄を、等間隔（６コマ間隔）に配列し、小役として、「赤７図柄・ＡＮＹ・ＡＮＹ」からなる小役１、「青７図柄・ＡＮＹ・ＡＮＹ」からなる小役２、「ＢＡＲ図柄・ＡＮＹ・ＡＮＹ」からなる小役３を設け、操作のタイミングとして、赤７図柄を引き込むことが可能な操作のタイミング、青７図柄を引き込むことが可能な操作のタイミング、及びＢＡＲ図柄を引き込むことが可能な操作のタイミングを設け、報知演出では、これらのうちのいずれかの操作のタイミングを遊技者に報知するようにすることができる。さらには、操作態様としては、押し順と操作のタイミングを組み合わせたものとしてもよい。
【００８２】
また、本発明は、スロットマシン以外の遊技機にも応用できる。例えば、遊技媒体として遊技球（パチンコ球）を用いてスロットマシンと同様の遊技を行わせるパロット遊技機に応用できる。
また、本発明は、上述した実施の形態に限定されるものではなく、本発明の目的を達成できる範囲における変形および改良なども含むものである。また、本発明は、上述した実施の形態を適宜組み合わせる、または組み替えることもできる。
【符号の説明】
【００８３】
10  遊技機（スロットマシン）               20  制御装置
30  スタートスイッチ                       40  回転リール
50  ストップスイッチ
70  役抽選手段                             90  リール制御手段
140  サブ状態移行制御手段（演出状態移行制御手段）
160  ナビ種別決定手段                      170  操作態様決定手段
180  報知演出態様決定手段                  190  演出制御手段（報知演出実行手段）
【図１】
2014042739.tif 000003
【図２】
2014042739.tif 000004
【図３】
2014042739.tif 000005
【図４】
2014042739.tif 000006
【図５】
2014042739.tif 000007
【図６】
2014042739.tif 000008
【図７】
2014042739.tif 000009
【図８】
2014042739.tif 000010
【図９】
2014042739.tif 000011
【図１０】
2014042739.tif 000012
【図１１】
2014042739.tif 000013
【図１２】
2014042739.tif 000014
【図１３】
2014042739.tif 000015
【図１４】
2014042739.tif 000016
【図１５】
2014042739.tif 000017
【図１６】
2014042739.tif 000018